(57)【要約】【課題】  コピーコントロールがされている番組の録画に使用するアナログ録画装置を増加させる。  【解決手段】  ST1において、予約したい番組を決定する。ST2では、予約設定を行う。予約設定表示では使用する録画装置が指示される。ST3では、録画装置がＡＶマウスか否かが判定される。録画装置がＡＶマウスと判定されると、ST4において、予約録画しようとする番組のタイプがF1かF2かが判定される。タイプがF1またはF2と判定されると、ST5において、APS＝00か否かが判定される。APS＝00でないと判定されると、タイプがF2であるため、予約録画を設定できないことを提示する表示42がなされる。APS＝00であると判定されると、ST6において、録画装置がVHS-VTRか否かが判定される。ST6において、録画装置がVHS-VTRであると判定されると、予約録画が設定されたことを提示する表示41がなされる。【選択図】  図５
2005176026.tif 000002
【特許請求の範囲】
【請求項１】
ディジタル放送の受信装置において、
受信した番組のアナログ映像信号の映像出力端子と、
受信した番組の第１および第２のアナログコピーコントロール情報と、上記映像出力端子に接続される録画装置の種類を示す録画装置情報とに基づいて、上記映像出力端子から出力されるアナログ映像信号の録画の可否を判断する制御部とを備え、
上記録画装置情報は、アナログ入力でディジタル記録を行う第１の録画装置と、アナログ入力でアナログ記録を行う第２の録画装置とを識別する情報であり、
上記第１のコピーコントロール情報は、上記第１の録画装置による録画を制御するものであり、上記第２のコピーコントロール情報は、上記第２の録画装置による録画を制御するものであり、
上記制御部は、上記第１のコピーコントロール情報が録画禁止を示し、上記第２のコピーコントロール情報が録画可能を示し、上記録画装置情報が上記第２の録画装置であることを示す場合には、録画可と判断し、それ以外の場合では、録画不可と判断する受信装置。
【請求項２】
請求項１において、
さらに、上記制御部の判断結果に応じた表示を行うように制御する表示制御部を備える受信装置。
【請求項３】
請求項１において、
上記録画装置情報は、予めユーザによって設定される受信装置。
【請求項４】
請求項１において、
さらに、上記映像出力端子に接続される録画装置を制御するリモコンコード発生部を有し、
予約録画時に、上記制御部は、上記第１のコピーコントロール情報が録画禁止を示し、上記第２のコピーコントロール情報が録画可能を示し、上記録画装置情報が上記第２の録画装置であることを示す場合には、録画可と判断し、それ以外の場合では、録画不可と判断する受信装置。
【請求項５】
請求項４において、
上記リモコンコード発生部が発生するリモコンコードを上記接続される録画装置に対応して設定し、設定された上記リモコンコードを記憶し、記憶された上記リモコンコードを上記録画装置情報として使用する受信装置。
【請求項６】
アナログ映像信号の映像出力端子に録画装置を接続し、上記録画装置によって予約録画を行う受信方法において、
上記映像出力端子に接続される録画装置であって、アナログ入力でディジタル記録を行う第１の録画装置と、アナログ入力でアナログ記録を行う第２の録画装置とを識別する録画装置情報を取得する情報取得ステップと、
予約録画する番組を決定する番組決定ステップと、
決定した番組の第１および第２のアナログコピーコントロール情報と、上記録画装置情報とに基づいて、上記決定した番組の録画の可否を判断する判断ステップとを有し、
上記第１のコピーコントロール情報は、上記第１の録画装置による録画を制御するものであり、上記第２のコピーコントロール情報は、上記第２の録画装置による録画を制御するものであり、
上記判断ステップは、上記第１のコピーコントロール情報が録画禁止を示し、上記第２のコピーコントロール情報が録画可能を示し、上記録画装置情報が上記第２の録画装置であることを示す場合には、録画可と判断し、それ以外の場合では、録画不可と判断する受信方法。
【請求項７】
請求項６において、
さらに、上記判断ステップの結果に応じた表示を行うように制御する表示制御部を備える受信方法。
【請求項８】
請求項６において、
リモコンコード発生部が発生するリモコンコードを上記接続される録画装置に対応して設定し、設定された上記リモコンコードを記憶し、記憶された上記リモコンコードを上記録画装置情報として使用する受信方法。
【発明の詳細な説明】
【技術分野】
【０００１】
この発明は、ディジタルテレビジョン放送の受信装置および受信方法に関する。
【背景技術】
【０００２】
ディジタル放送によって、ディジタル放送コンテンツが配信される状況下で、コンテンツの著作権保護が重要となりつつある。ディジタル放送の受信装置は、複数の出力端子を備えている。例えば受信したディジタルデータを出力するディジタルインターフェース例えばＩＥＥＥ(Institute of Electrical and Electronics Engineers) １３９４と、アナログＮＴＳＣカラー映像信号を出力するアナログ出力端子とを備えている。
【０００３】
従来、ディジタル出力とアナログ出力とのそれぞれに関して著作権保護のためのコピーコントロールの仕組みが提供されている。アナログ出力を記録するアナログ録画装置としては、アナログ入力をアナログ記録するＶＨＳ方式のＶＴＲ（Video Tape Recoder）（以下、単にＶＨＳ−ＶＴＲと称する）と、アナログ入力をディジタル記録するディジタル記録の装置例えばＤＶＤ(Digital Versatile Disc)レコーダとが存在している。
【０００４】
アナログ入力をアナログ記録するＶＨＳ−ＶＴＲに対するコピーコントロールのために、マクロビジョンが使用される。また、アナログ入力をディジタル記録するＤＶＤレコーダ等に対しては、ＣＧＭＳ−Ａ(Copy Generation Management System for Analog)が使用される。
【０００５】
コピーコントロールは、ディジタル放送のコンテンツ毎に規定されており、コピー禁止の場合では、録画装置によって記録しようとしても、記録を続行することができない。ユーザに対してコピーコントロールの情報を簡単に提供することが下記の特許文献１に記載されている。
【０００６】
【特許文献１】特開２００２−７７７６１号公報
【発明の開示】
【発明が解決しようとする課題】
【０００７】
アナログ記録する録画装置としては、上述したように２種類存在する。ＣＧＭＳ−Ａによって録画禁止とされ、アナログ入力をディジタル記録するＤＶＤレコーダによって記録することが禁止されているが、アナログ入力をアナログ記録するＶＨＳ−ＶＴＲによって記録することが可能な第１のコンテンツと、ＤＶＤレコーダおよびＶＨＳ−ＶＴＲの両者が記録することができない第２のコンテンツとが存在する。ＶＨＳ−ＶＴＲによって記録可能な第１のコンテンツは、ＡＰＳ(Analog Protection System)＝００とされてマクロビジョン信号を付加しないと決められているコンテンツである。
【０００８】
従来では、受信装置は、どちらの種類の録画装置がアナログ映像出力端子に接続されているのかを判別することができなかった。したがって、予約録画されるコンテンツが第１のコンテンツの場合では、ＶＨＳ−ＶＴＲによって記録することができ、一方、予約録画されるコンテンツが第２のコンテンツの場合では、ＶＨＳ−ＶＴＲによって記録することができない二つの可能性が存在する。視聴者がペイパービューのコンテンツを予約録画した時に、そのコンテンツが第２のコンテンツの場合には、録画ができず、料金を払ったにもかかわらず、試聴できない問題が生じる。
【０００９】
このような問題を避けるために、従来のコピーコントロールでは、第１および第２のコンテンツを区別せずに、両者を録画禁止として扱っていた。アナログ録画装置としては、実際には、ＶＨＳ−ＶＴＲが圧倒的に多いので、ＶＨＳ−ＶＴＲを予約録画に使用できないことは、多くのユーザにとって便利とは言えない問題があった。また、予約録画が不可能な装置を使用したために、予約録画が失敗することを防止する必要がある。
【００１０】
したがって、この発明の目的は、アナログ信号を録画する予約録画を多くの装置によって行うことができ、また、予約録画不可能な装置は、事前に判定して実行時の録画の失敗を未然に防ぐことができる受信装置および受信方法を提供することにある。
【課題を解決するための手段】
【００１１】
上述した課題を解決するために、この発明は、ディジタル放送の受信装置において、
受信した番組のアナログ映像信号の映像出力端子と、
受信した番組の第１および第２のアナログコピーコントロール情報と、映像出力端子に接続される録画装置の種類を示す録画装置情報とに基づいて、映像出力端子から出力されるアナログ映像信号の録画の可否を判断する制御部とを備え、
録画装置情報は、アナログ入力でディジタル記録を行う第１の録画装置と、アナログ入力でアナログ記録を行う第２の録画装置とを識別する情報であり、
第１のコピーコントロール情報は、第１の録画装置による録画を制御するものであり、第２のコピーコントロール情報は、第２の録画装置による録画を制御するものであり、
制御部は、第１のコピーコントロール情報が録画禁止を示し、第２のコピーコントロール情報が録画可能を示し、録画装置情報が第２の録画装置であることを示す場合には、録画可と判断し、それ以外の場合では、録画不可と判断する受信装置である。
【００１２】
この発明は、アナログ映像信号の映像出力端子に録画装置を接続し、録画装置によって予約録画を行う受信方法において、
映像出力端子に接続される録画装置であって、アナログ入力でディジタル記録を行う第１の録画装置と、アナログ入力でアナログ記録を行う第２の録画装置とを識別する録画装置情報を取得する情報取得ステップと、
予約録画する番組を決定する番組決定ステップと、
決定した番組の第１および第２のアナログコピーコントロール情報と、録画装置情報とに基づいて、決定した番組の録画の可否を判断する判断ステップとを有し、
第１のコピーコントロール情報は、第１の録画装置による録画を制御するものであり、第２のコピーコントロール情報は、第２の録画装置による録画を制御するものであり、
判断ステップは、第１のコピーコントロール情報が録画禁止を示し、第２のコピーコントロール情報が録画可能を示し、録画装置情報が第２の録画装置であることを示す場合には、録画可と判断し、それ以外の場合では、録画不可と判断する受信方法である。
【発明の効果】
【００１３】
この発明は、アナログ信号を録画する場合、録画できる場合、または録画できる装置を増加させることができる。この発明は、予約録画を行う時に、予約録画の可否をユーザに対して提示することができ、予約録画を失敗を防止することができる。
【発明を実施するための最良の形態】
【００１４】
以下、この発明の一実施形態について図面を参照して説明する。図１は、この発明が適用されたテレビジョン受像機の一実施形態の構成を示す。アンテナ１によって受信された放送信号がテレビジョン受像機２のチューナ３に入力され、チューナ３によって所望のチャンネルが受信される。チューナ３の出力が破線で囲んで示すストリーム処理部４のデスクランブラ５に供給される。
【００１５】
デスクランブラ５では、スクランブルが解除され、スクランブル解除後の信号が加算器６に供給される。加算器６に対しては、表示制御部としてのＯＳＤ(On Screen Display)
６で生成された表示信号が供給され、ＣＲＴ(Cathode Ray Tube)等のディスプレイ９の画面上にメニュー等が表示される。加算器６の出力信号がＮＴＳＣエンコーダ８に供給される。
【００１６】
ＮＴＳＣエンコーダ８では、ＮＴＳＣ方式のアナログ複合カラー映像信号が生成される。参照符号１０は、テレビジョン受像機の動作を全体として制御する制御用ＣＰＵを示す。制御用ＣＰＵ１０によってチューナ３、デスクランブラ５、ＯＳＤの処理動作が制御される。ＣＰＵ１０に対しては、図示しないが、リモートコントロール（以下、リモコンと略す）信号の受信部、操作部等からの操作信号が供給される。また、ストリーム処理部４から処理に必要な情報をＣＰＵ１０が受け取る。
【００１７】
ＮＴＳＣエンコーダ８からのカラー映像信号がディスプレイ９に供給され、アナログ信号出力端子にカラー映像信号が取り出される。一実施形態では、アナログ信号出力端子１１に対してアナログ録画装置２０例えばＶＨＳ−ＶＴＲの映像入力端子が接続され、アナログ録画が可能とされている。
【００１８】
テレビジョン受像機２は、予約録画を行うことを可能とするために、リモコンコード発光部１２を備えている。リモコンコード発光部１２は、リモコンコード出力ＣＰＵ１３とケーブルを介して接続され、リモコンコード出力ＣＰＵ１３からのリモコンコードに応じた赤外線信号を発生する。リモコンコード出力ＣＰＵ１３は、ＣＰＵ１０と通信を行い、ＣＰＵ１０の制御の下でリモコンコードを生成し、生成したリモコンコードをリモコンコード発光部１２に対して出力する。ＣＰＵ１０またはリモコンコード出力ＣＰＵ１３は、アナログ録画機器２０のリモコンコードを記憶している。アナログ録画機器２０のメーカー、機種によってリモコンコードが相違する。
【００１９】
リモコンコード発光部１２からのリモコンコードがアナログ録画機器２０のリモコン受光部にて受信される。例えばテレビジョン受像機２側で希望する時刻に録画したいチャンネルを予約録画可能とされている。予約した録画時刻になると、リモコンコード発光部１２からアナログ録画機器２０に対して、電源のオンおよび録画のリモコンコードが送信され、録画終了時間になると、停止および電源オフのリモコンコードが送信される。ユーザは、例えば予約録画モードにおいて、番組表を表示させ、録画したい番組を選択することによって予約録画を行うことができる。
【００２０】
テレビジョン受像機２には、放送番組の著作権保護のために、アナログ出力に対するコピーコントロールのために、ＣＧＭＳ−Ａ生成部１４およびマクロビジョン(Macrovision)生成部１５が備えられている。
【００２１】
第１のコピーコントロール情報としてのＣＧＭＳ−Ａは、アナログ映像信号中の垂直ブランキング期間中に、コピーコントロール情報を埋め込んで世代管理をする機構である。コピー禁止のコピーコントロール情報が埋め込まれた映像信号をディジタル録画機器（ハードディスクレコーダ、Ｄ−ＶＨＳ、ＤＶ(Digital Video)、ＤＶＤレコーダ等）で録画
しようとしても、自動的に録画動作が停止するなどして録画が禁止される。ＣＧＭＳ−Ａは、アナログ入力をディジタル記録する場合に適用されるコピーコントロールである。
【００２２】
マクロビジョンは、コピーが禁止されている放送コンテンツを不正にＶＴＲにダビングできないようにするために、アナログ機器の録画に影響を与えるような信号（マクロビジョン信号と称する）をアナログ映像信号に付加する仕組みである。マクロビジョンは、録画機器がアナログ映像信号をアナログ記録する場合にコピーコントロールを行う。放送信号中に含まれているＡＰＳによってコピーコントロールがなされる。ＡＰＳは、第２のコピーコントロール情報である。
【００２３】
ＡＰＳ＝００の場合は、コピー制限を行わないので、マクロビジョン信号が付加されず、アナログ映像端子１１から出力されるアナログ映像信号をアナログ録画機器２０による記録には制限はない。アナログ入力でデジタル記録できるディジタル録画機器に対しては、マクロビジョンが機能しないので、ＣＧＭＳ−Ａによってコピーコントロールがなされる。ＣＧＭＳ−Ａは、コピーフリー、１世代のみコピー可、コピー禁止の制御がなされる。
【００２４】
マクロビジョンによるコピー禁止が働いているダビングしたコンテンツは、画面が暗くなったり、明るくなったりしたり、同期があわないで画面が乱れるといった症状が発生する。マクロビジョンがその効果を発揮するためには、録画機器がマクロビジョンに対応している必要がある。ＣＧＭＳ−Ａによってコピー禁止がなされる場合では、記録動作が不可能とされ、コピー禁止である旨のメッセージがユーザに提示される。
【００２５】
ストリーム処理部４において、放送信号中に付加されているコピーコントロール関係の情報が分離され、ＣＰＵ１０に供給される。ＣＰＵ１０は、コピーコントロール関係の情報に基づいてＣＧＭＳ−Ａ生成部１４およびマクロビジョン生成部１５を制御する。
【００２６】
図１では、図示しないが、高速ディジタルインターフェースとしてのＩＥＥＥ１３９４を使用してディジタル入力（ＭＰＥＧのトランスポートストリーム（以下、適宜ＭＰＥＧ−ＴＳと略す）をディジタル記録する場合もある。ディジタル入力をディジタル記録する場合に適用されるコピーコントロールの仕組みも備えられている。コピーコントロールは、ディジタルコピーコントロール記述子(copy control typeと、digital recording control data)によって行われる。
【００２７】
さらに、図示しないが、光ディジタル音声端子をテレビジョン受像機２が備えている。光ディジタル音声出力に適用されるコピーコントロールの仕組みが設けれている。コピーコントロールは、ＳＣＭＳ(Serial Copy Management System)によって行われる。
【００２８】
図２は、テレビジョン放送に関係するコピーコントロールをまとめた表である。放送信号のＭＰＥＧ−ＴＳには、ＰＳＩ(伝送制御情報:Program Specific Information)が付加
され、その中のＰＭＴ(Program Map Table)には、サービスの属性情報の一つとして、コ
ピーコントロールタイプ、ＣＧＭＳ、コンテンツ利用記述子、ＣＧＭＳ−Ａ、マクロビジョン等の情報が含まれている。ＡＰＳは、ディジタルコピーコントロール記述子に含まれている。
【００２９】
これらのコピーコントロールのための情報に基づいて、コピーコントロールが行われるようになされている。図２中で、「１３９４ＭＰＥＧ」がＩＥＥＥ１３９４からのＭＰＥＧ−ＴＳに対するコピーコントロールを示している。出力のＭＰＥＧ−ＴＳは、暗号化されたコンテンツを出力する状態と、暗号化されないコンテンツを出力する状態と、出力自体がされない状態とが規定されている。
【００３０】
図２において、「ＮＴＳＣ  ＶＩＤＥＯ」がアナログコピーの制御を示している。アナログコピーコントロールとして、ＣＧＭＳ−ＡとＭＶ（マクロビジョンを意味する）とが記載されている。図２において、タイプＡ〜Ｇは、コピーコントロールの種類を示す。各タイプには、アナログ録画の可否と、ディジタル録画の可否と、課金（￥）される録画の可否と、出力の可否と、出力禁止とが含まれている。図２中で斜線等を付した部分が表示する内容の各タイプに含まれる処理を表している。
【００３１】
例えばＣＧＭＳ＝００で、コンテンツ利用記述子＝１の場合では、ＣＧＭＳ−Ａ＝コピーフリー、ＭＶ＝オフとされ、録画装置によって制約なくアナログ映像信号を録画できる。ＭＶ＝オフは、ＡＰＳ自体が存在しないことを意味する。ＣＧＭＳ＝００で、コンテンツ利用記述子＝０の場合も同様に、録画装置によって制約なくアナログ映像信号を録画できる。
【００３２】
ＣＧＭＳ＝１０の場合では、ＣＧＭＳ−Ａ＝１世代のみコピー可能、ＭＶ＝オフとされ、１世代のみのアナログ記録が可能である。ＣＧＭＳ＝０１の場合では、コンテンツ利用記述子の値と無関係に、ＣＧＭＳ−Ａが録画禁止とされ、ＭＶは、ＡＰＳにしたがって付加される。ＣＧＭＳ＝１１の場合も同様に、コンテンツ利用記述子の値と無関係に、ＣＧＭＳ−Ａが録画禁止とされ、ＭＶは、ＡＰＳにしたがって付加される。
【００３３】
既存のアナログ映像信号のコピーコントロールは、ＣＧＭＳ＝０１または１１の場合で、ＣＧＭＳ−Ａ＝録画禁止とされ、ＡＰＳが存在している場合は、アナログ録画を禁止していた。すなわち、ＡＰＳの状態と無関係に、タイプＦ２の処理を行っていた。
【００３４】
この発明では、ＡＰＳが存在していても、ＡＰＳ＝００の場合では、アナログ入力でアナログ記録を行う録画装置によるアナログ録画を可能するものである。すなわち、図２においてタイプＦ１の処理を追加している。アナログ入力をディジタル記録する録画装置の場合では、ＣＧＭＳ−Ａ＝録画禁止であるために、録画が禁止される。
【００３５】
このようなタイプＦ１の処理を追加したのは、ＡＰＳ＝００の番組の場合では、ＶＨＳ−ＶＴＲによって記録できるようにするためである。アナログ入力をディジタル記録するＤＶＤレコーダ等で、放送中の番組を記録しようとすると、（ＣＧＭＳ−Ａ＝録画禁止）をＤＶＤレコーダが検出し、録画を続行できなくなるので、その場で録画できないことが判断できる。
【００３６】
ＶＨＳ−ＶＴＲの場合では、ＣＧＭＳ−Ａによる制御がされず、マクロビジョンによってコピーコントロールがなされる。したがって、（ＣＧＭＳ−Ａ＝録画禁止）であっても、ＡＰＳ＝００の番組であれば、マクロビジョン信号を付加しないので、番組を録画することができるはずである。しかしながら、予約録画する時点では、接続されているアナログ録画装置がアナログ入力をディジタル記録する装置（例えばＤＶＤレコーダ）か、アナログ入力をアナログ記録する装置（ＶＨＳ−ＶＴＲ）かを判別することができなかったので、（ＣＧＭＳ−Ａ＝録画禁止）であれば、ＡＰＳの値の如何にかかわらず、全て録画禁止としていたのである。その処理によって、予約録画の失敗を防止していた。現状では、ＶＨＳ−ＶＴＲが多数存在しているので、このようなコピーコントロールは、予約録画に使用できる装置を狭めることになり、ユーザにとって好ましいものとは言えなかった。
【００３７】
この発明では、タイプＦ１の処理が追加されているので、（ＣＧＭＳ−Ａ＝録画禁止）であっても、ＡＰＳ＝００の番組であれば、ＶＨＳ−ＶＴＲによって記録することができる。
【００３８】
図３は、「番組説明」の画面の一例を示す。「番組説明」の画面では、図２に示す各タイプにしたがって、コピーコントロールが表示される。例えば「アナログ録画可」「ディジタル録画可」の表示がなされる。タイプＦ１（ＡＰＳ＝００）の場合では、「アナログ録画可（ＶＨＳのみ）」と表示され、タイプＦ２（ＡＰＳ＝００以外）の場合では、「アナログ録画不可」と表示される。
【００３９】
ユーザは、この番組説明の画面から接続しているアナログ録画装置によって録画可能な番組か否かを判定することができる。例えば現在試聴中の番組の録画の可否を判断することができ、従来では、記録不可であった、（ＣＧＭＳ−Ａ＝記録禁止）で（ＡＰＳ＝００）の番組を録画することが可能となる。また、予約録画する番組は、未来の番組であるが、テレビジョン受像機２は、例えば１週間分の番組に関してコピーコントロール等のデータを受信し、記憶することができる。したがって、未来の予約録画しようとする番組に関しても図３に示す「番組説明」の画面に含まれるコピーコントロールの情報等をテレビジョン受像機２のＣＰＵ１０が記憶している。
【００４０】
また、テレビジョン受像機２には、アナログ録画装置による予約録画動作を可能とするために、リモコンコード発光部１２が接続されている。リモコンコード発光部１２は、ＡＶマウスと称される。ＡＰＳ＝００の場合には、ＶＨＳ−ＶＴＲによる録画を可とし、アナログ入力でディジタル記録の装置による録画を不可とし、ＡＰＳ＝００以外の場合では、ＶＨＳ−ＶＴＲを含めて全てのアナログ入力から録画する機器の録画を不可にする。
【００４１】
さらに、録画開始時間、録画終了時間にリモコン発光部１２から出力されるリモコン信号で録画機器を制御する予約録画動作を可能とするために、録画装置情報の設定が予めなされる。
【００４２】
図４は、予約録画時の録画装置情報の設定方法を示すものである。予約録画の度に機器の設定を行うことも可能であるが、アナログ録画装置を接続した時に、そのアナログ録画装置をリモコン制御できるようにリモコンコードが設定される。従来では、図４Ａに示すように、アナログ録画装置の複数のメーカー名をディスプレイ９の画面に表示し、ユーザがテレビジョン受像機２のリモコンのコマンダを操作してメーカー名を指示することによってリモコンコードを設定していた。
【００４３】
一実施形態では、図４Ｂに示すように、メーカー名に加えて、アナログ入力でディジタル記録の装置（ＨＤＤ（ハードディスクレコーダ）、ＤＶＤ（ＤＶＤレコーダ）等）か否かを示す表示を行う。ＶＴＲの場合では、アナログ入力をアナログ記録するＶＨＳ−ＶＴＲと、アナログ入力をディジタル記録するＤＶとの両方が存在するので、ＶＴＲをＶＴＲ（ＶＨＳ）とＶＴＲ（ＤＶ）とに分けてリモコンコードが設定される。設定されたリモコンコードは、ＣＰＵ１０内の不揮発性メモリに記憶される。リモコンコードが録画装置情報として使用される。
【００４４】
ユーザは、リモコンのコマンダの方向キーによって実際に接続した録画装置に対応する表示を選択し、決定ボタンを押すことで、実際に接続した録画装置を制御できるリモコンコードを発生させることが可能となる。
【００４５】
予め録画装置の設定を行った後になされる予約録画の操作手順について図５を参照して説明する。この操作手順は、テレビジョン受像機２のリモコンのコマンダからの操作信号をＣＰＵ１０が受け取り、ＣＰＵ１０が各部を制御することによって実現される。最初のステップＳＴ１において、番組表等を画面に表示させ、リモコンのコマンダのキー操作によって番組表から予約したい番組を選択して決定する。
【００４６】
ステップＳＴ２では、予約設定表示を画面上に表示し、予約設定を行う。図６において参照符号３１は、予約設定表示の一例である。予約設定表示３１には、録画装置を指示するための入力エリア３２が設けられている。入力エリア３２に対して、ユーザは、「ｉ．ＬＩＮＫ」または「ＡＶマウス」と入力する。この場合、ユーザが良く使用する側の機器名が表示されるようになされる。
【００４７】
「ｉ．ＬＩＮＫ」は、ＩＥＥＥ１３９４を介して接続されたディジタル入力でディジタル記録が可能なディジタル録画装置を意味する。ハードディスクレコーダ、ＤＶＤレコーダ、Ｄ−ＶＨＳ等がｉ．ＬＩＮＫに含まれる。ＩＥＥＥ１３９４を介して機器が接続されているか否かは、自動的に判別可能である。「ＡＶマウス」は、リモコンコード発光部１２によって制御可能なアナログ録画装置（アナログ入力でディジタル記録の装置とアナログ入力でアナログ記録の装置（ＶＨＳ−ＶＴＲ））を意味する。機種の選択がなされると、予約設定表示３１中の予約ボタン３３が押される。
【００４８】
図５に戻ると、ステップＳＴ３では、録画装置がＡＶマウスか否かが判定される。録画装置がＡＶマウスと判定されると、ステップＳＴ４において、予約録画しようとする番組のタイプがＦ１かＦ２かが判定される。タイプがＦ１およびＦ２でないと判定されると、予約録画が設定されたことを提示する表示４１がディスプレイ９の画面上になされる。表示４１は、例えば「予約を設定しました」のメッセージを表示するものである。
【００４９】
ステップＳＴ４において、タイプがＦ１またはＦ２と判定されると、ステップＳＴ５において、ＡＰＳ＝００か否かが判定される。ＡＰＳ＝００でないと判定されると、タイプがＦ２であるため、予約録画を設定できないことを提示する表示４２がディスプレイ９の画面上になされる。表示４２は、例えば「この番組は、コピーコントロールのため予約できません」のメッセージを表示するものである。
【００５０】
ステップＳＴ５において、ＡＰＳ＝００であると判定されると、ステップＳＴ６において、録画装置がＶＨＳ−ＶＴＲか否かが判定される。予め設定されている情報に基づいてステップＳＴ６の判定がなされる。ステップＳＴ６において、録画装置がＶＨＳ−ＶＴＲであると判定されると、予約録画が設定されたことを提示する表示４１がなされる。ステップＳＴ６において、録画装置がＶＨＳ−ＶＴＲと判定される場合には、予約録画を可能とする点がこの発明の特徴である。
【００５１】
ステップＳＴ６において、録画装置がＶＨＳ−ＶＴＲでないと判定されると、予約録画を設定できないことを提示する表示４２がなされる。
【００５２】
ステップＳＴ３において、接続された録画装置がＡＶマウスでないと判定されると、ＩＥＥＥ１３９４を介して録画装置が接続されていると判定できる。ステップＳＴ７において、タイプがＤ、Ｅ、またはＦ（Ｆ１およびＦ２を意味する）であるかどうかが判定される。タイプがＤ、Ｅ、またはＦであると判定されると、録画が禁止されているので、予約録画を設定できないことを提示する表示４２がなされる。
【００５３】
ステップＳＴ７において、タイプがＤ、ＥおよびＦの何れでもないと判定されると、予約録画が設定されたことを提示する表示４１がなされる。
【００５４】
上述した説明では、リモコン発光部１２を使用する予約録画を行う例であるが、この発明は、予約録画ではなく、放送中の番組をアナログ録画する場合に対しても適用できる。この場合でも、録画しようとする番組のコピーコントロール情報（タイプＦ１またはＦ２）と、録画装置の種類とが判別され、判別結果に応じた表示がユーザに提示される。
【００５５】
コピーコントロールがタイプＦ１で、録画装置がＶＨＳ−ＶＴＲあれば、録画可能であることを提示する表示がなされる。それ以外では、録画不可能であることを提示する表示がなされる。
【００５６】
この発明は、上述したこの発明の一実施形態等に限定されるものでは無く、この発明の要旨を逸脱しない範囲内で様々な変形や応用が可能である。例えばテレビジョン受像機と異なり、ディスプレイを一体に有しない受信装置に対してもこの発明を適用することができる。
【図面の簡単な説明】
【００５７】
【図１】この発明によるテレビジョン受像機の一実施形態のブロック図である。
【図２】この発明の一実施形態におけるコピーコントロールを説明するための略線図である。
【図３】番組説明画面の一例を示す略線図である。
【図４】リモコンコード設定操作を説明するための略線図である。
【図５】予約録画の操作手順の一例を示すフローチャートである。
【図６】予約設定画面の一例を示す略線図である。
【符号の説明】
【００５８】
４  ストリーム処理部
８  ＮＴＳＣエンコーダ
９  ディスプレイ
１０  制御用ＣＰＵ
１１  アナログ映像信号の出力端子
１２  リモコンコード発光部
１４  ＣＧＭＳ−Ａ発生部
１５  マクロビジョン発生部
２０  アナログ録画装置
【図１】
2005176026.tif 000003
【図２】
2005176026.tif 000004
【図３】
2005176026.tif 000005
【図４】
2005176026.tif 000006
【図５】
2005176026.tif 000007
【図６】
2005176026.tif 000008